【手続補正書】
【提出日】令和2年4月28日(2020.4.28)
【手続補正１】
【補正対象書類名】特許請求の範囲
【補正対象項目名】全文
【補正方法】変更
【補正の内容】
【特許請求の範囲】
【請求項１】
非一時的コンピュータ可読媒体であって、前記非一時的コンピュータ可読媒体は、認識的気付きの判定に基づいてユーザ警告を動的に調節または調整し、それにより注意に値する糖尿病状態の治療に関するデータを提供する方法をコンピューティング環境に行わせる命令を備え、前記方法は、
現在または将来の注意に値する糖尿病状態を特定するステップであって、前記特定は、グルコース濃度値に少なくとも部分的に基づく、特定するステップと、
前記特定された現在または将来の注意に値する糖尿病状態に、ユーザが認識的に気付いているかを推定または予測するステップと、
前記推定または予測の結果が、前記ユーザが前記特定された現在または将来の注意に値する糖尿病状態に認識的に気付いていないという結果である場合、薬剤ポンプに前記注意に値する糖尿病状態の指示を送信するステップと、を含み、
それにより、前記ユーザが前記注意に値する糖尿病状態に気付いていない場合、かつこの時点でのみ、前記ユーザは、前記注意に値する糖尿病状態を治療される、媒体。
【請求項２】
前記方法は、前記推定または予測の結果が、前記ユーザが前記注意に値する糖尿病状態に認識的に気付いていないという結果である場合、前記薬剤ポンプを起動して、薬剤ボーラス投与を生じさせるステップをさらに含む、請求項１に記載の媒体。
【請求項３】
前記薬剤ボーラス投与は、インスリンの食事ボーラスである、請求項２に記載の媒体。
【請求項４】
前記方法は、前記推定または予測の結果が、前記ユーザが前記注意に値する糖尿病状態に認識的に気付いていないという結果である場合、前記薬剤ポンプを起動して、基礎速度を変えるステップをさらに含む、請求項１に記載の媒体。
【請求項５】
前記方法は、前記推定または予測の結果が、前記ユーザが前記注意に値する糖尿病状態に認識的に気付いていないという結果である場合、監視デバイスのユーザインターフェース上のユーザプロンプトを用いて前記ユーザに警告するステップであって、前記ユーザプロンプトは、前記注意に値する糖尿病状態を示す、警告するステップをさらに含む、請求項１に記載の媒体。
【請求項６】
前記方法は、前記薬剤ポンプが前記注意に値する糖尿病状態を完全にまたは部分的に治療することができるかどうかを判定するステップと、治療できると判定した場合、前記薬剤ポンプが前記糖尿病状態を治療できない場合と比較して、それぞれ、前記ユーザへの警告を無効化するか、前記ユーザに警告しないか、またはユーザプロンプトを変えるステップと、をさらに含む、請求項１に記載の媒体。
【請求項７】
認識的気付きの判定に基づいてユーザ警告を動的に調節または調整し、それにより注意に値する糖尿病状態の治療に関するデータを提供するためのシステムであって、
現在または将来の注意に値する糖尿病状態を特定するための手段であって、前記特定は、グルコース濃度値に少なくとも部分的に基づく、特定するための手段と、
前記特定された現在または将来の注意に値する糖尿病状態に、ユーザが認識的に気付いているかを推定または予測するための手段と、
前記推定または予測の結果が、前記ユーザが前記特定された現在または将来の注意に値する糖尿病状態に認識的に気付いていないという結果である場合、薬剤ポンプに前記注意に値する糖尿病状態の指示を送信するための手段と、を含み、
それにより、前記ユーザが前記注意に値する糖尿病状態に気付いていない場合、かつこの時点でのみ、前記ユーザは、前記注意に値する糖尿病状態を治療される、システム。
【請求項８】
ユーザの注意に値する糖尿病状態に対応するスマート警告を提供するためのシステムであって、
モバイルデバイス上で実行されるＣＧＭアプリケーションであって、少なくとも周期的にまたは時々センサからデータを受信し、臨床単位でのグルコース濃度データを校正及び表示するように構成されているＣＧＭアプリケーションと、
前記モバイルデバイス上で、前記ＣＧＭアプリケーション内でサブルーチンとして実行されるか、または前記ＣＧＭアプリケーションとの並行プロセスとして実行され、前記ＣＧＭアプリケーションからデータを受信するスマート警告アプリケーションであって、請求項１に記載の媒体に含まれる前記方法を行うように構成されているスマート警告アプリケーションと、を備え、
前記ＣＧＭアプリケーションまたは前記スマート警告アプリケーションは、薬剤送達デバイスと信号通信する、システム。
【請求項９】
注意に値する糖尿病状態についてユーザにプロンプトを表示する方法をコンピューティング環境に行わせるための命令を備える非一時的コンピュータ可読媒体であって、前記コンピューティング環境は、薬剤送達デバイスと信号通信し、ユーザプロンプトは、その数が少なくとも部分的に低減されることにより前記ユーザに対する有効性が最適化されており、前記ユーザプロンプトは、前記注意に値する糖尿病状態の治療に関するデータを提供し、前記方法は、
現在または将来の注意に値する糖尿病状態を特定するステップであって、前記特定は、グルコース濃度値に少なくとも部分的に基づく、特定するステップと、
前記特定された現在または将来の注意に値する糖尿病状態に対する、前記ユーザの認識的気付きの第１の推定または予測を行うステップと、
前記第１の推定または予測の結果が、前記ユーザが前記特定された現在または将来の注意に値する糖尿病状態に認識的に気付いていないという結果である場合、前記特定された現在または将来の注意に値する糖尿病状態に対する、前記薬剤送達デバイスのコンピュータの気付きの第２の推定または予測を行うステップと、
前記第２の推定または予測の結果が、前記薬剤送達デバイスが前記特定された現在または将来の注意に値する糖尿病状態に気付いていないという結果である場合、監視デバイスのユーザインターフェース上のユーザプロンプトを用いて前記ユーザに警告するステップであって、前記ユーザプロンプトは、前記注意に値する糖尿病状態を示す、警告するステップと、を含み、
それにより、前記ユーザ及び前記薬剤送達デバイスの両方が前記注意に値する糖尿病状態に気付いておらず、かつ前記警告が前記ユーザに対して有効である場合、かつこれらの時点でのみ、前記ユーザは、前記注意に値する糖尿病状態を通知される、媒体。
【請求項１０】
前記方法は、前記薬剤送達デバイスが前記特定された現在または将来の注意に値する糖尿病状態を治療することができるかどうかを判定するステップと、前記判定の結果が、前記薬剤送達デバイスが前記特定された糖尿病状態を治療することができないという結果である場合、前記ユーザプロンプトを用いて前記ユーザに警告するステップと、をさらに含む、請求項９に記載の媒体。
【請求項１１】
前記現在または将来の糖尿病状態は、低血糖症を含み、前記薬剤送達デバイスは、インスリン送達デバイスであり、前記方法は、前記低血糖症の糖尿病状態に基づいて、前記インスリン送達デバイスの活動を停止するか、または減少させるステップをさらに含む、請求項９に記載の媒体。
【請求項１２】
前記活動の停止または減少は、前記ユーザが前記低血糖症に認識的に気付いていない場合、より早く起こる、請求項１１に記載の媒体。
【請求項１３】
前記第１の推定または予測を行うことは、前記薬剤送達デバイスとのユーザとの対話に少なくとも部分的に基づく、請求項９に記載の媒体。
【請求項１４】
注意に値する糖尿病状態についてユーザにプロンプトを表示するためのシステムであって、前記システムは、薬剤送達デバイスと信号通信し、ユーザプロンプトは、その数が少なくとも部分的に低減されることにより前記ユーザに対する有効性が最適化されており、前記ユーザプロンプトは、前記注意に値する糖尿病状態の治療に関するデータを提供し、前記システムは、
現在または将来の注意に値する糖尿病状態を特定するための手段であって、前記特定は、グルコース濃度値に少なくとも部分的に基づく、特定するための手段と、
前記特定された現在または将来の注意に値する糖尿病状態に対する、前記ユーザの認識的気付きの第１の推定または予測を行うための手段と、
前記第１の推定または予測の結果が、前記ユーザが前記特定された現在または将来の注意に値する糖尿病状態に認識的に気付いていないという結果である場合、前記特定された現在または将来の注意に値する糖尿病状態に対する、前記薬剤送達デバイスのコンピュータの気付きの第２の推定または予測を行うための手段と、
前記第２の推定または予測の結果が、前記薬剤送達デバイスが前記特定された現在または将来の注意に値する糖尿病状態に気付いていないという結果である場合、監視デバイスのユーザインターフェース上のユーザプロンプトを用いて前記ユーザに警告するための手段であって、前記ユーザプロンプトは、前記注意に値する糖尿病状態を示す、警告するための手段と、を含み、
それにより、前記ユーザ及び前記薬剤送達デバイスの両方が前記注意に値する糖尿病状態に気付いておらず、かつ前記警告が前記ユーザに対して有効である場合、かつこれらの時点でのみ、前記ユーザは、前記注意に値する糖尿病状態を通知される、システム。
【請求項１５】
ユーザの注意に値する糖尿病状態に対応するスマート警告を提供するためのシステムであって、
モバイルデバイス上で実行されるＣＧＭアプリケーションであって、少なくとも周期的にまたは時々センサからデータを受信し、臨床単位でのグルコース濃度データを校正及び表示するように構成されているＣＧＭアプリケーションと、
前記モバイルデバイス上で、前記ＣＧＭアプリケーション内でサブルーチンとして実行されるか、または前記ＣＧＭアプリケーションとの並行プロセスとして実行され、前記ＣＧＭアプリケーションからデータを受信するスマート警告アプリケーションであって、請求項９に記載の媒体に含まれる前記方法を行うように構成されているスマート警告アプリケーションと、を備え、
前記ＣＧＭアプリケーションまたは前記スマート警告アプリケーションは、薬剤送達デバイスと信号通信する、システム。
【請求項１６】
非一時的コンピュータ可読媒体であって、前記非一時的コンピュータ可読媒体は、認識的気付きの判定に基づいてユーザ警告を動的に調節または調整し、それにより注意に値する糖尿病状態の治療に関するデータを提供する方法をコンピューティング環境に行わせる命令を備え、前記方法は、
現在または将来の注意に値する糖尿病状態を特定するステップであって、前記特定は、グルコース濃度値に少なくとも部分的に基づく、特定するステップと、
前記特定された現在または将来の注意に値する糖尿病状態に、ユーザが認識的に気付いているかを推定または予測するステップであって、前記推定または予測は、前記ユーザに関連する１つ以上の個別化されたパターンを認識することを含む、推定または予測するステップと、
前記推定または予測の結果が、前記ユーザが前記特定された現在または将来の注意に値する糖尿病状態に認識的に気付いていないという結果である場合、監視デバイスのユーザインターフェース上のユーザプロンプトを用いて前記ユーザに警告するステップであって、前記ユーザプロンプトは、前記注意に値する糖尿病状態を示す、警告するステップと、を含み、
それにより、前記ユーザが前記注意に値する糖尿病状態に気付いておらず、かつ前記警告が前記ユーザに対して有効である場合、かつこれらの時点でのみ、前記ユーザは、前記注意に値する糖尿病状態を警告される、媒体。
【請求項１７】
前記個別化されたパターンは、事象の前または後に生じる特徴的な分析物濃度信号トレースの包絡線に対応する、請求項１６に記載の媒体。
【請求項１８】
前記事象は、食事、運動、または睡眠に関連する、請求項１７に記載の媒体。
【請求項１９】
前記判定は、現在の信号トレースが特徴的分析物濃度信号トレースの前記包絡線の外側にあるかどうかを前記ユーザが認識的に気付いていないことの判定である、請求項１８に記載の媒体。
【請求項２０】
認識的気付きの判定に基づいてユーザ警告を動的に調節または調整し、それにより注意に値する糖尿病状態の治療に関するデータを提供するためのシステムであって、
現在または将来の注意に値する糖尿病状態を特定するための手段であって、前記特定は、グルコース濃度値に少なくとも部分的に基づく、特定するための手段と、
前記特定された現在または将来の注意に値する糖尿病状態に、ユーザが認識的に気付いているかを推定または予測するための手段であって、前記推定または予測は、前記ユーザに関連する１つ以上の個別化されたパターンを認識することを含む、推定または予測するための手段と、
前記推定または予測の結果が、前記ユーザが前記特定された現在または将来の注意に値する糖尿病状態に認識的に気付いていないという結果である場合、監視デバイスのユーザインターフェース上のユーザプロンプトを用いて前記ユーザに警告するための手段であって、前記ユーザプロンプトは、前記注意に値する糖尿病状態を示す、警告するための手段と、を含み、
それにより、前記ユーザが前記注意に値する糖尿病状態に気付いておらず、かつ前記警告が前記ユーザに対して有効である場合、かつこれらの時点でのみ、前記ユーザは、前記注意に値する糖尿病状態を警告される、システム。